(57)【要約】【課題】安価で、施工性が良く、美観に優れると共に、植栽基盤間の隙間に育成材が落下することを防止できる折板屋根緑化設備を提供する。【解決手段】平面視略矩形で、少なくとも底板１０ａと側面１０ｂを有し、折板屋根Ｒの山部１のピッチと略同一の幅を有する植栽基盤１０と、植栽基盤１０内に収納される育成材２０と、育成材２０に植栽される植物３０とを備える植栽装置を、折板屋根上に複数並設する折板屋根緑化設備であって、植栽基盤１０相互の隙間を被覆する被覆部１３を有する折板屋根緑化設備。【選択図】図５
2012065646.tif 000002
【特許請求の範囲】
【請求項１】
平面視略矩形で、少なくとも底板と側面を有し、折板屋根の山部のピッチと略同一の幅を有する植栽基盤と、
前記植栽基盤内に収納される育成材と、
前記育成材に植栽される植物とを備える植栽装置を、
折板屋根上に複数並設する折板屋根緑化設備であって、
前記植栽基盤相互の隙間を被覆する被覆部を有することを特徴とする折板屋根緑化設備。
【請求項２】
前記植栽基盤の側面上端に外方に屈曲して延設される突出片を有し、
前記突出片として、平面視で隣り合う二辺に突出長さの長い長突出片と、他の隣り合う二辺に前記長突出片より突出長さの短い短突出片とが設けられ、
一の前記植栽基盤の前記短突出片上に他の前記植栽基盤の前記長突出片を配置して前記被覆部が構成されることを特徴とする請求項１記載の折板屋根緑化設備。
【請求項３】
前記短突出片と前記長突出片とが相互に係合する係合部が設けられることを特徴とする請求項２記載の折板屋根緑化設備。
【請求項４】
前記短突出片が前記長突出片よりも低い位置に設けられることを特徴とする請求項２又は３記載の折板屋根緑化設備。
【請求項５】
隣り合う前記植栽基盤の前記突出片に固定部材を取り付けることにより、前記植栽基盤相互が連結されることを特徴とする請求項２〜４の何れかに記載の折板屋根緑化設備。
【請求項６】
一の前記植栽基盤の前記長突出片が、前記一の植栽基盤と隣り合う他の前記植栽基盤の育成材上まで延設されることを特徴とする請求項２〜５の何れかに記載の折板屋根緑化設備。
【請求項７】
一の前記植栽基盤の外周に他の前記植栽基盤が設けられ、
一の前記植栽基盤の前記長突出片と、一の前記植栽基盤の前記短突出片上に配置される前記他の植栽基盤の前記長突出片とで、略同一平面が構成されることを特徴とする請求項２〜６の何れかに記載の折板屋根緑化設備。
【請求項８】
前記被覆部が、前記植栽基盤とは別体の前記植栽基盤相互を連結する連結部材で構成され、
前記連結部材に、相互に連結する前記植栽基盤の育成材まで延びる被覆片が設けられていることを特徴とする請求項１記載の折板屋根緑化設備。
【請求項９】
前記育成材がマット状に形成され、
前記マット状の育成材の上面に給水パイプを配設可能な育成材凹部が形成されていることを特徴とする請求項１〜８の何れかに記載の折板屋根緑化設備。
【請求項１０】
前記側面の少なくとも対向する二辺に給水パイプを配設可能な側面凹部が形成されていることを特徴とする請求項１〜９の何れかに記載の折板屋根緑化設備。
【請求項１１】
前記育成材がマット状に形成され、
前記マット状の育成材の上面に給水パイプを配設可能な育成材凹部が形成され、
且つ前記側面の少なくとも二辺に給水パイプを配設可能な側面凹部が形成され、
前記側面凹部が前記育成材凹部よりも凹形状が大きく形成されていることを特徴とする請求項１〜８の何れかに記載の折板屋根緑化設備。
【請求項１２】
前記折板屋根の山部と前記植栽基盤の底板とが接着剤又は両面テープで固定されていることを特徴とする請求項１〜１１の何れかに記載の折板屋根緑化設備。
【請求項１３】
前記植栽基盤は、鋼板の絞り加工により成形されていることを特徴とする請求項１〜１２の何れかに記載の折板屋根緑化設備。
【請求項１４】
平面視略矩形で、少なくとも底板と側面を有する植栽基盤と、
前記植栽基盤内に収納される育成材と、
前記育成材に植栽される植物とを備える植栽装置を、
敷設面上に複数並設する緑化設備であって、
前記植栽基盤の側面上端に外方に屈曲して延設される突出片を有し、
前記突出片として、平面視で隣り合う二辺に突出長さの長い長突出片と、他の隣り合う
二辺に前記長突出片より突出長さの短い短突出片とが設けられ、
一の前記植栽基盤の前記短突出片上に他の前記植栽基盤の前記長突出片を配置して、前記植栽基盤相互の隙間を被覆する被覆部が構成されることを特徴とする緑化設備。
【発明の詳細な説明】
【技術分野】
【０００１】
本発明は、折板屋根に設けられる折板屋根緑化設備及び緑化設備に関する。
【背景技術】
【０００２】
近年、都市の緑化対策の重要性が認識されつつあり、平坦でない折板屋根等においても緑化が図られている。かかる緑化に貢献するものとして、特許文献１には、山部と谷部が交互に繰り返し、山部頂面から上方に突出するハゼ部を有する折板屋根に、ハゼ部の高さよりも高い下地体若しくはハゼ部の高さと同一高さの下地体を山部頂面に載置して隣り合う山部間に架橋し、その下地体上に緑化ユニットを敷設する緑化設備が開示されている。
【０００３】
また、特許文献２には、金属折板屋根の互いに隣り合う山部に、方形状で且つ横幅が山部の間隔と略同寸法に設定された複数枚の植栽トレイを架設し、折板屋根のハゼ部にボルト・ナット等で挟持固定される固定用金具で植栽トレイの四隅を押さえ込んだ状態で固定し、金属折板屋根を被覆する植生による緑化面を形成する緑化設備が開示されている。
【先行技術文献】
【特許文献】
【０００４】
【特許文献１】特開２００７−８９４３７号公報
【特許文献２】特開２００５−１０５５３６号公報
【発明の概要】
【発明が解決しようとする課題】
【０００５】
しかしながら、特許文献１は、折板屋根に下地体を設ける必要があるため、コスト高になると共に、施工が面倒であるとの不具合を生ずる。他方で、特許文献２は、直接折板屋根に植栽トレイを架設できるため、この不具合を解消することができるものの、特許文献１、２共に、植栽トレイ相互に隙間が生じており、この隙間に植栽トレイ内の育成材が落下し、その育成材が折板屋根上に落下してしまうという不具合を生ずる。
【０００６】
更に、この隙間の存在により、美観が損なわれると共に、例えば切り芝などのマット状の植物を植栽トレイ内の育成材上に載置して植栽を施す場合などには、植栽トレイにあった形状のマット状の植物を用意する必要が生ずるため、施工性が低下し、コスト高となる。
【０００７】
本発明は上記不具合を解消するためになされたものであって、その目的は、安価で、施工性が良く、美観に優れると共に、植栽基盤間の隙間に育成材が落下することを防止できる折板屋根緑化設備及び緑化設備を提供することにある。
【課題を解決するための手段】
【０００８】
本発明の折板屋根緑化設備は、平面視略矩形で、少なくとも底板と側面を有し、折板屋根の山部のピッチと略同一の幅を有する植栽基盤と、前記植栽基盤内に収納される育成材と、前記育成材に植栽される植物とを備える植栽装置を、折板屋根上に複数並設する折板屋根緑化設備であって、前記植栽基盤相互の隙間を被覆する被覆部を有することを特徴とする。
この構成によれば、植栽基盤相互の隙間を被覆部にて被覆することができるため、例えば植栽基盤に合ったマット状の植物を用意する必要がなく、安価で、高い施工性が得られると共に、美観に優れた緑化エリアを形成することが可能となる。また、植栽基盤相互間から土壌などが落下することがないため、折板屋根に異物がたまるなどの不具合を未然に防止することができる。
【０００９】
本発明の折板屋根緑化設備は、前記植栽基盤の側面上端に外方に屈曲して延設される突出片を有し、前記突出片として、平面視で隣り合う二辺に突出長さの長い長突出片と、他の隣り合う二辺に前記長突出片より突出長さの短い短突出片とが設けられ、一の前記植栽基盤の前記短突出片上に他の前記植栽基盤の前記長突出片を配置して前記被覆部が構成されることを特徴とする。
この構成によれば、簡単且つ安価に被覆部を設けることができる。また、植栽基盤の設置時に長突出片を短突出片上に配置して被覆部を構成できるので、施工性に優れる。
【００１０】
本発明の折板屋根緑化設備は、前記短突出片と前記長突出片とが相互に係合する係合部が設けられることを特徴とする。
この構成によれば、短突出片と長突出片の配置を安定化することができる。
【００１１】
本発明の折板屋根緑化設備は、前記短突出片が前記長突出片よりも低い位置に設けられることを特徴とする。
この構成によれば、植栽基盤の並置状態で短突出片と長突出片に内部応力が生ずることを防止し、短突出片と長突出片に不要な負荷がかかることを防止することができ、ひいては耐久性を向上することができる。また、短突出片上への長突出片の載置を安定化することができる。
【００１２】
本発明の折板屋根緑化設備は、隣り合う前記植栽基盤の前記突出片に固定部材を取り付けることにより、前記植栽基盤相互が連結されることを特徴とする。
この構成によれば、隣り合う前記植栽基盤の突出片を安定して連結することができると共に、耐風圧に対する強度を増すことができる。
【００１３】
本発明の折板屋根緑化設備は、一の前記植栽基盤の前記長突出片が、前記一の植栽基盤と隣り合う他の前記植栽基盤の育成材上まで延設されることを特徴とする。
この構成によれば、植栽基盤の育成材が風などにより飛散することを防止することができる。
【００１４】
本発明の折板屋根緑化設備は、一の前記植栽基盤の外周に他の前記植栽基盤が設けられ、一の前記植栽基盤の前記長突出片と、一の前記植栽基盤の前記短突出片上に配置される前記他の植栽基盤の前記長突出片とで、略同一平面が構成されることを特徴とする。
この構成によれば、植栽基盤や植栽状態の緑化設備の美観を高めることができる。
【００１５】
本発明の折板屋根緑化設備は、前記被覆部が、前記植栽基盤とは別体の前記植栽基盤相互を連結する連結部材で構成され、前記連結部材に、相互に連結する前記植栽基盤の育成材まで延びる被覆片が設けられていることを特徴とする。
この構成によれば、連結部材により簡単に被覆部を構成することができる。また、連結部材の被覆片で風などで育成材が飛散することを防止することができる。また、植栽基盤相互の連結が可能となり、植栽基盤の位置決め効果、相互の固定強化、植栽基盤が面となることによる耐風圧効果を発揮することが可能となる。
【００１６】
本発明の折板屋根緑化設備は、前記育成材がマット状に形成され、前記マット状の育成材の上面に給水パイプを配設可能な育成材凹部が形成されていることを特徴とする。
この構成によれば、育成材に給水パイプを安定して設置することができると共に、植物に適切な給水を行うことができる。
【００１７】
本発明の折板屋根緑化設備は、前記側面の少なくとも対向する二辺に給水パイプを配設可能な側面凹部が形成されていることを特徴とする。
この構成によれば、植栽基盤に給水パイプを安定して設置することができると共に、植物に適切な給水を行うことができる。
【００１８】
本発明の折板屋根緑化設備は、前記育成材がマット状に形成され、前記マット状の育成材の上面に給水パイプを配設可能な育成材凹部が形成され、且つ前記側面の少なくとも二辺に給水パイプを配設可能な側面凹部が形成され、前記側面凹部が前記育成材凹部よりも凹形状が大きく形成されていることを特徴とする。
この構成によれば、育成材と植栽基盤に給水パイプを安定して設置することができると共に、植物に適切な給水を行うことができる。また、硬い植栽基盤の側面凹部により給水パイプが切断されることを防止できる。
【００１９】
本発明の折板屋根緑化設備は、前記折板屋根の山部と前記植栽基盤の底板とが接着剤又は両面テープで固定されていることを特徴とする。
この構成によれば、植栽基盤を簡単に且つ優れた施工性で折板屋根に固定することができる。
【００２０】
本発明の折板屋根緑化設備は、前記植栽基盤は、鋼板の絞り加工により成形されていることを特徴とする。
この構成によれば、植栽基盤の強度、コスト、加工性、防錆性を高めることが可能となる。
【００２１】
本発明の緑化設備は、平面視略矩形で、少なくとも底板と側面を有する植栽基盤と、前記植栽基盤内に収納される育成材と、前記育成材に植栽される植物とを備える植栽装置を、敷設面上に複数並設する緑化設備であって、前記植栽基盤の側面上端に外方に屈曲して延設される突出片を有し、前記突出片として、平面視で隣り合う二辺に突出長さの長い長突出片と、他の隣り合う二辺に前記長突出片より突出長さの短い短突出片とが設けられ、一の前記植栽基盤の前記短突出片上に他の前記植栽基盤の前記長突出片を配置して、前記植栽基盤相互の隙間を被覆する被覆部が構成されることを特徴とする。尚、本発明の緑化設備には、本発明の折板屋根緑化設備の構成として本明細書に開示されている構成を、適用可能な範囲で適用することが可能である。
この構成によれば、植栽基盤相互の隙間を被覆部にて被覆することができるため、例えば植栽基盤に合ったマット状の植物を用意する必要がなく、安価で、高い施工性が得られると共に、美観に優れた緑化エリアを形成することが可能となる。また、植栽基盤相互間から土壌などが落下することがないため、敷設面に異物がたまるなどの不具合を未然に防止することができる。また、簡単且つ安価に被覆部を設けることができる。また、植栽基盤の設置時に長突出片を短突出片上に配置して被覆部を構成できるので、施工性に優れる。
【発明の効果】
【００２２】
本発明の折板屋根緑化設備及び緑化設備によれば、単純な構成により植栽基盤相互の隙間を被覆部にて被覆することができるため、安価で、施工性が高く、美観に優れた緑化エリアを形成することが可能となる。また、植栽基盤相互間から土壌などが落下することがないため、敷設面或いは折板屋根に異物がたまるなどの不具合を未然に防止することができる。
【図面の簡単な説明】
【００２３】
【図１】（ａ）は実施例１の折板屋根緑化設備を示す平面図、（ｂ）は実施例１の折板屋根緑化設備を示す正面図。
【図２】（ａ）は実施例１の植栽基盤を示す平面図、（ｂ）は実施例１の植栽基盤を示す正面図、（ｃ）は図２（ａ）のＡ−Ａ断面図、（ｄ）は図２（ａ）のＢ−Ｂ断面図、（ｅ）は実施例１の植栽基盤を示す側面図、（ｆ）は図２（ａ）のＣ−Ｃ断面図、（ｇ）は図２（ａ）のＤ−Ｄ断面図。
【図３】（ａ）は実施例１の育成材を示す平面図、（ｂ）は実施例１の育成材を示す正面図、（ｃ）は図３（ａ）のＡ−Ａ断面図、（ｄ）は図３（ａ）のＢ−Ｂ断面図、（ｅ）は実施例１の育成材を示す側面図、（ｆ）は図３（ａ）のＣ−Ｃ断面図、（ｇ）は図３（ａ）のＤ−Ｄ断面図。
【図４】（ａ）は実施例１の折板屋根緑化設備の施工途中を示す平面説明図、（ｂ）は実施例１の折板屋根緑化設備の施工途中を示す正面説明図。
【図５】図１のＡ部拡大図。
【図６】（ａ）は実施例２の折板屋根緑化設備の施工途中を示す平面説明図、（ｂ）は実施例２の折板屋根緑化設備の施工途中を示す正面説明図。
【図７】（ａ）は実施例２の植栽基盤を示す平面図、（ｂ）は実施例２の植栽基盤を示す正面図、（ｃ）は実施例２の植栽基盤を示す側面図。
【図８】（ａ）は実施例２の育成材を示す平面図、（ｂ）は実施例２の育成材を示す正面図、（ｃ）は実施例２の育成材を示す側面図。
【図９】（ａ）は実施例２の連結部材を示す平面図、（ｂ）は実施例２の連結部材を示す正面図、（ｃ）は実施例２の連結箇所の一部拡大平面図、（ｄ）は図９（ｃ）のＡ部拡大図、（ｅ）は実施例２の連結部材の連結状態を示す正面説明図。
【図１０】（ａ）は実施例１の植栽基盤の第１変形例を示す平面図、（ｂ）は実施例１の植栽基盤の第２変形例を示す平面図、（ｃ）は実施例１の植栽基盤の第３変形例を示す平面図、（ｄ）は実施例１の植栽基盤の第４変形例を示す平面図。
【図１１】（ａ）は連結可能な植栽基盤を示す平面図、（ｂ）は連結可能な植栽基盤の四隅部部分拡大図。
【図１２】（ａ）は実施例１の育成材の第１変形例を示す平面図、（ｂ）は実施例１の育成材の第１変形例を示す正面図、（ｃ）は実施例１の育成材の第１変形例を示す側面図。
【図１３】（ａ−１）は実施例１の育成材の第２変形例を示す分解平面図、（ａ−２）は実施例１の育成材の第２変形例を示す平面図、（ａ−３）は実施例１の育成材の第２変形例を示す正面図、（ｂ）は実施例１の育成材の第３変形例の育成材を植栽基盤に収納した状態を示す断面図。
【発明を実施するための形態】
【００２４】
以下、本発明の折板屋根緑化設備及び緑化設備に関する具体的な実施例について説明するが、本発明は以下の実施例に限定されるものではなく、各実施例の各構成要件を組み合わせ或いは組み替える構成や、各実施例の各構成要件を削除するなど本発明の要旨の範囲内の全ての構成が含まれる。
【００２５】
〔実施例１〕
実施例１の折板屋根緑化設備Ｗは、図１に示すように山部１と谷部２が交互に設けられ、山部１の頂面にカシメ結合されたハゼ部（突出部）３を有する折板屋根Ｒ上に、隣り合う山部１のピッチと略同一の幅を有する植栽基盤１０を配置し、植栽基盤１０内に植物を栽培可能な育成材２０を収納すると共に、育成材２０に植物３０を植栽することにより、緑化可能に構成される。本実施例では、植栽基盤１０と、育成材２０と、育成材２０に植栽される植物３０とにより植栽装置Ｇを構成し、この植栽装置Ｇが折板屋根Ｒ上に複数並設され、折板屋根緑化設備（単に、「緑化設備」ということもある）Ｗが構成される。
【００２６】
図２に示すように、本実施例の植栽基盤１０は、平面視略矩形で、底板１０ａと側面１０ｂを有する上面開放の箱型であり、底板１０ａには、折板屋根Ｒの流れ方向（図２（ａ）、図１に示すＹ方向）に直交する方向に設けられ、上方に突出する４本のリブ１２が形成されている。リブ１２の頂面には１つのリブに対して４つの穴１２ａが穿設されており、リブ１２以外の底板１０ａに貯水可能な構成で、且つリブ１２の頂面を超えた余剰水は穴１２ａから排出される構成となっている。
【００２７】
植栽基盤１０の側面１０ｂは、上方に向かって開口が大きくなるようなテーパ面で形成され、側面１０ｂの上端において、４辺のうち一の隣り合う２辺（折板屋根Ｒの勾配の下方向を含む２辺）には、外方に長く突出する長突出片１３が形成されていると共に、他の隣り合う２辺には、外方に短く突出する短突出片１４が形成されて、全周を突出片（長突出片１３、短突出片１４）で囲まれて形成されている。
【００２８】
即ち、植栽基盤１０は、その側面１０ｂの上端に外方に屈曲して延設される突出片を有し、突出片として、平面視で隣り合う二辺に突出長さの長い長突出片１３と、他の隣り合う二辺に長突出片１３より突出長さの短い短突出片１４とが設けられ、一の植栽基盤１０の短突出片上１４に他の植栽基盤１０の長突出片１３を配置して、植栽基盤１０相互の隙間を被覆する被覆部が構成される。尚、説明の便宜上、リブ１２に平行な長突出片１３を第１長突出片１３ａとし、リブ１２に直交する長突出片１３を第２長突出片１３ｂとし、リブ１２に平行な短突出片１４を第１短突出片１４ａとし、リブ１２に直交する短突出片１４を第２短突出片１４ｂとする。
【００２９】
また、側面１０ｂの少なくとも対向する二辺に給水パイプＰを配設可能な側面凹部１５が形成されており、本例では第１長突出片１３ａと、第１短突出片１４ａの上端において、第２短突出片１４ｂ側近傍に側面凹部１５（それぞれ説明の便宜上第１側面凹部１５ａ、第２側面凹部１５ｂとする）が形成され、後述する給水パイプＰを配設可能な構成となっている。尚、側面凹部１５は切りっ放しではなく、側面凹部１５を外方に屈曲延設してなる支持片部１６からなる面を有しており、上方からの圧力に対して、給水パイプＰが破損することを防止している。また、側面凹部１５を辺中央部に設けない構成とすることにより、植栽基盤１０の上方からの圧力に対して植栽基盤１０自体の強度アップを可能としている。
【００３０】
また、第１長突出片１３ａの第２短突出片１４ｂ側に第１段差部１７ａが設けられ、第２長突出片１３ｂの第１短突出片１４ａ側に第２段差部１７ｂが設けられ、第１短突出片１４ａの第２短突出片１４ｂ側に第３段差部１７ｃが設けられ、第２短突出片１４ｂの第１短突出片１４ａ側に第４段差部１７ｄが設けられている。また、「第１段差部１７ａと第２段差部１７ｂで囲まれた第１長突出片１３ａ及び第２長突出片１３ｂ」が、「第１段差部１７ａと第４段差部１７ｄで囲まれた第２短突出片１４ｂ」及び「第２段差部１７ｂと第３段差部１７ｃで囲まれた第１短突出片１４ａ」よりも高くなるように形成されている。また、「第３段差部１７ｃと第４段差部１７ｄで囲まれた第１短突出片１４ａ及び第２短突出片１４ｂ」が、「第１段差部１７ａと第４段差部１７ｄで囲まれた第２短突出片１４ｂ」及び「第２段差部１７ｂと第３段差部１７ｃで囲まれた第１短突出片１４ａ」よりも低くなるように形成されている。即ち、短突出片１４が長突出片１３よりも低い位置に設けられると共に、一の植栽基盤１０の外周に他の植栽基盤１０が設けられ、一の植栽基盤１０の前記長突出片１３と、一の植栽基盤１０の短突出片１４上に配置される他の植栽基盤１０の長突出片１４とで、植栽基盤１０の外周において、略同一平面が構成されるようになっている。
【００３１】
植栽基盤１０は、合成樹脂製、発泡体、鋼板、木製、陶器製、石製など適宜であるが、好適には鋼板製、より好適にはガルバニウム鋼板製を絞り加工を施すことにより成形された構成であり、強度、コスト、加工性、防錆性に優れている。
【００３２】
また、図３に示すように、本例の育成材２０は、上面２０ａと下面２０ｂを有するマット状であり、外周において植栽基盤１０のテーパ面（側面１０ｂ）に沿うようなテーパ面が形成された側面２０ｃが形成されている。また、下面２０ｂから下方に楕円形状の突出部２２が形成され、突出部２２に対応する上面２０ａには突出部２２に対応する形状の凹状部２１が形成され、育成材２０相互を重ね合わせた際に、突出部２２が凹状部２１に入り込み、積み重ねの際の嵩を低くすることができると共に、位置決め効果を発揮し、安定した積み重ねが可能となるように構成されている。更には、凹状部２１の存在により、吸い上げた水分が上方に移動するのではなく、横方向に広がる助けとなるため好適である。また、植栽基盤１０の側面凹部１５に対応する箇所の育成材２０の上面２０ａには育成材凹部２３が形成され、後述する給水パイプＰを敷設可能な構成となっている。具体的には、育成材凹部２３は、育成材２０の上面２０ａの一端部から、当該一端部に対向する他端部まで延設されていると共に、給水パイプＰを敷設可能な大きさ寸法の形状（例えば、給水パイプＰを外嵌する大きさ寸法の円弧凹状の溝形状）に形成されている。
【００３３】
尚、突出部２２は、植栽基盤１０の各貯水箇所（「リブ１２以外の底板１０ａと、リブ１２の側面部とで囲まれている領域」及び「リブ１２以外の底板１０ａと、リブ１２の側面部と、側面１０ｂとで囲まれている領域」）にそれぞれ３つずつ形成され、貯水箇所の中心よりも第１長突出片１３ａ（低勾配側）方向にずれた位置に設けられており、確実に貯水箇所の水分を吸水することが可能であると共に、リブ１２に沿って長辺となるような楕円形で形成されていることから、育成材２０自体を支持可能な構成となっている。
【００３４】
尚、凹状部２１の深さと育成材凹部２３の深さを略同一深さとすることにより、後述する給水パイプＰの安定した設置が可能となり好適である。また、育成材凹部２３を植栽基盤１０の側面凹部１５よりも浅く形成する、換言すれば側面凹部１５を育成材凹部２３よりも凹形状を大きく形成すると好適であり、硬い植栽基盤１０の側面凹部１５により給水パイプＰが切断されるなどの不具合を未然に防止することが可能となっている。
【００３５】
尚、育成材２０は植物を育成可能なものであればどのようなものであっても良く、例えば、パーライト、バーミキュウライト、ピートモス、バーク堆肥、チャフコン、木質腐朽有機物、ゼオライト、下水或いは浄水場から発生する汚泥、或いは汚泥の焼却灰などを単体で、或いは複数種類を混合して、更には根腐れ防止用の硅酸塩白土等を植物の種類、環境等に応じて適宜選定し、これらを保水性、排水性を良好にするためにバランス良く配合したものをバインダーで固化したもの、或いはウレタン、スポンジやヤシガラ等の繊維材等の軽量育成材など適宜である。
【００３６】
上記の植栽基盤１０及び育成材２０などを折板屋根Ｒに載置する場合、図４に示すように、先ず、折板屋根Ｒの山部１の頂面に両面テープ或いは接着剤、粘着剤等の固定手段５を設け、その上に、育成材２０を収納した植栽基盤１０を長突出片１３が低勾配側になるように、且つ山部１頂面のハゼ部分（ハゼ部３）に挟まれるような位置に載置することにより、折板屋根Ｒの山部１と植栽基盤１０の底板１０ａとを固定状態とする。
【００３７】
また、図５に示すように一の植栽基盤１０は、隣り合う他の植栽基盤１０の短突出片１４上に長突出片１３が位置するように隣接して敷設することにより、植栽基盤１０上から折板屋根（ハゼ部分を含む）Ｒが目視不能な状態になっている。この際、長突出片１３が隣り合う他の植栽基盤１０の育成材２０上まで延びていることから、育成材２０の隣り合う２辺が長突出片１３により押えられ、育成材２０自体が風などにより飛散することが防止される。
【００３８】
その後、図１に示すように折板屋根Ｒの勾配に沿って１直線上になっている側面凹部１５及び育成材凹部２３内に給水パイプＰを敷設し、その上から切り芝などのマット状の植物（植栽マット等の植物）３０を載置することにより、施工が完了する。尚、給水パイプＰは、多孔質パイプ、ドリップチューブ、しみ出しパイプ等適宜である。また、前記植栽マットも芝に限らず、様々な植物、例えばタマリュウ、セダム、地被類、コケ、キリンソウ等をマット状にしたもの、或いは育成材２０の上面２０ａの凹部２１内に苗を植え付ける構成、或いは育成材２０上に植物の種子をまく、或いは育成材２０内に種子を混合させておくなど適宜である。
【００３９】
以上、本発明の実施例１の折板屋根緑化設備Ｗを使用することにより、単純な構成により植栽基盤１０相互の隙間を被覆部にて被覆することができるため、安価で、美観に優れた緑化エリアを形成することが可能となる。また、植栽基盤１０相互間から土壌などが落下することがないため、敷設面或いは折板屋根Ｒに異物がたまるなどの不具合を未然に防止することが可能となる。
【００４０】
〔実施例２〕
次に、本発明の実施例２について上記実施例１と異なる箇所の詳細を説明する。第２実施例の折板屋根緑化設備Ｗは、図６に示すように実施例１と同様に折板屋根Ｒの隣り合う山部１の上に載置される構成となっている。具体的には、植栽基盤４０と、育成材５０と、育成材５０に植栽される植物３０と、連結部材６０とにより植栽装置Ｇを構成し、この植栽装置Ｇが折板屋根Ｒ上に複数並設され、折板屋根緑化設備Ｗが構成されるようになっている。尚、実施例２において、上述した実施例１で示した構成に相当する構成については、説明の便宜上、同じ符号を付している。
【００４１】
図７に示すように、本実施例の植栽基盤４０は、底板４０ａと側面４０ｂを有する上面開放の箱型であり、底板４０ａには、排水用の穴４１が穿設されている。また、側面４０ｂは、実施例１同様にテーパ面が形成されており、全側面に後述する連結部材６０の連結片６１を係合可能な係合穴４２が穿設されており、側面４０ｂの上端には、実施例１で言う突出片などが存在しない構成となっている。また、実施例１と同一箇所に実施例１同様に給水パイプＰを配設可能な側面凹部４５が正面視四角形状に形成されている。尚、側面凹部４５は切りっ放し状態となっているが、実施例１同様に支持片部を設けても良い。
【００４２】
また、図８に示すように、本実施例の育成材５０は、実施例１と同様に、上面５０ａと下面５０ｂと、外周のテーパ面からなる側面５０ｃとを有するマット状に形成されている。また、上面５０ａには、実施例１の育成材凹部２３と同様の育成材凹部５３が形成されている。また、下面５０ｂに、実施例１の突出部２２が存在しないことにより、肉厚な育成材５０が形成されている。また、側面５０ｃには、後述する連結部材６０を連結可能とするために、その上端側に略矩形状の凹状部５４が形成されているが、柔軟性を有する部材など育成材５０の材質によっては不要である。
【００４３】
また、図９に示すように、別体の連結部材６０は、連結箇所の植栽基盤側面４０ｂ相互の隙間ｓを被覆する構成になっている。具体的には、連結部材６０は、被覆部（例えば、板状の被覆部）６１を有し、被覆部６１の下面からは１対の係合片６２が突設され、この係合片６２が植栽基盤４０の側面４０ｂに形成された係合穴４２に係合されることにより、隣り合う２つの植栽基盤４０相互を連結すると共に、被覆部６１にて植栽基盤４０の側面４０ｂ相互間の隙間ｓを被覆する構成となっている。尚、被覆部６１は、長尺寸法が植栽基盤４０の幅寸法と略同じ大きさ寸法に形成され、短尺寸法が隙間ｓを被覆可能な大きさ寸法に形成されている。また、育成材５０の凹状部５４の存在により、平面視で係合穴４２を目視することが可能であり（図９（ｄ）参照）、且つ係合時に育成材５０が邪魔にならない構成となっていることから、連結作業を容易に行うことが可能となっている。尚、被覆部６１の端部は、図６に示すように植栽基盤４０の四隅が集合する箇所で重ならないように三角形状に形成されている。更に、被覆部６１は係合片６２よりも外方に延びる被覆片６１ａを有しており、この被覆片６１ａが育成材５０上まで延びて形成されている構成となっており、育成材５０の飛散防止効果を発揮している。
【００４４】
以上、本発明の実施例２の折板屋根緑化設備を使用することにより、実施例１と同様の効果を発揮することが出来ると共に、植栽基盤４０相互の連結が可能となり、植栽基盤４０の位置決め効果、相互の固定強化、植栽基盤４０が面となることによる耐風圧効果を発揮することが可能となる。また、連結部材６０が、給水パイプＰよりも上方に位置することから、給水パイプＰの位置決め効果を発揮すると共に、給水パイプＰの植栽基盤側面４０ｂの上方からかかる圧力を防止し、給水パイプＰの破損を未然に防止することが可能となっている。
【００４５】
〔実施例の変形例等〕
本明細書開示の発明には、解決手段に記載の各発明や実施形態（実施例１、実施例２）等の構成のほかに、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれ、例えば下記の変形例も包含される。尚、下記の変形例において、上述した実施例で示した構成と同様の構成（及び相当する構成）については、説明の便宜上、同じ符号を付している。
【００４６】
例えば、植栽基盤１０は上記実施例に限定されず、例えば図１０に示すように、様々な構成が考えられる。図１０（ａ）に示すように、実施例１の植栽基盤１０の側面凹部１５を対向する２辺の中央部に設けると共に、側面凹部１５から１つ内側のリブ１２までに折板屋根Ｒの流れ方向に沿うリブ８０を設ける構成としてもよい。これにより、給水パイプＰを配設した際に上からかかる圧力を流れ方向の沿うリブ８０で支えることができ、給水パイプＰ自体の変形を未然に防止することが可能となる。
また、図１０（ｂ）に示すように、リブ８１を格子状に設け、格子状のリブ８１相互間に通水用の凹溝部８２を設けてなり、且つ側面凹部１５を対向する２辺に３箇所設ける構成であってもよい。これにより、水分を植栽基盤１０全体に行き渡らすことが可能となると共に、施工状態に応じて３箇所の給水パイプＰ配設箇所を適宜選んで、或いは複数個所に給水パイプＰを配設することが可能となり、施工現場にあった施工が可能となる。
また、図１０（ｃ）に示すように、リブ８３は必ずしも側面１０ｂまで延びている必要がなく、また、必ずしもリブ８３の頂面に穴を穿設する必要がなく、また、給水パイプＰも折板屋根Ｒの流れ方向に直交する方向に布設可能に側面凹部１５を設けることも可能であり、リブの形状により折板屋根Ｒと固定手段５による固定を強固に行うことが可能となり、また、給水パイプＰの配設も、水源の位置、施工現場に応じて選択的に行うことが可能となる。
また、図１０（ｄ）に示すように、リブの形状は対角線上に設けたり（底板１０ａの対角線状にリブ８４を設けたり）、また円形状に設ける（底板１０ａに円形状のリブ８５を設ける）など適宜であり、更には側面凹部１５の支持片部１６を長くするなど適宜である。また、図示しないが、リブの高さもリブ毎に異ならせるなど適宜であり、下流側のリブを低くし、上流側の水が貯まり難い箇所のリブを高くするなど適宜である。また、側面１０ｂのテーパ面は必須条件ではなく、なくても良い。更に内側に、側面１０ｂは、テーパ面となっていても良く、更には曲線状の形状であっても良い。
【００４７】
また、隣り合う植栽基盤１０の突出片１３、１４にビス等の固定部材を取り付けることにより、植栽基盤１０相互が連結される構成としてもよく、例えば図１１に示すように、植栽基盤１０の４隅に囲まれた箇所において、全ての突出片１３、１４が重なるように構成し、この重なった箇所をビス止めするなど適宜であり、全ての植栽基盤１０が連結され、耐風圧に対する強度が増すこととなる。この際、重なり部分に下方に突出すると共に上部が凹型となる凸部９０を設け、上部の突出部の凸部９０が下方の突出部９０の凹型にはめ込まれて位置決めされる構成とすると好適であり、位置決め効果及びビスの打ち込みを容易にするという効果を発揮できる。尚、４つの突出部９０が重なる必要はなく、２つであっても３つであっても良いことは言うまでもない。また、例えば一方に凹部、他方に凸部を設けて係合するなど、短突出片１４と長突出片１３とが相互に係合する係合部を設けるようにしてもよい。
【００４８】
また、図１２に示すように、育成材２０は、どのような形状、構成であってもよく、図１２（ａ）に示すように、実施例１の突出部２２を円形とする構成であってもよく（この場合、突出部２２に対応する育成材上面２０ａの凹状部２１も円形に構成される）、更に、突出部２２の大きさを変えるなど適宜であり、突出部２２の形状、個数等はどのようなものであっても良く、また形状に関して様々な形状の組み合わせであっても良く、更には突出部２２に対応する育成材上面２０ａの凹状部２１はなくても良い。
【００４９】
また、育成材２０は、単体である必要がなく、図１３（ａ−１）、（ａ−２）、（ａ−３）に示すように複数の育成材９１、９２、９３を組み合わせる構成であってもよく、成形コストを低減することが可能となる。また、図１３（ｂ）に示すように、平板状の育成材９４の下面に不織布９５などの柔らかい吸水布を布設して植栽基盤１０の水分を吸い上げる構成であってもよく、この場合も成形コストを低減することが可能となる。
【００５０】
また、育成材２０は、必ずしもマット状やブロック状等一体化されている必要はなく、粒状の一般的に使用されている軽量土壌、一般土壌等からなる育成材であってもよい。
【００５１】
また、本発明の植栽基盤１０（又は植栽基盤４０）、緑化設備Ｗは、ハゼタイプの折板屋根Ｒ上に必ずしも設置する必要はなく、ボルトタイプの折板屋根上や陸屋根上等に設置しても良い。例えば平面視略矩形で、少なくとも底板１０ａと側面１０ｂを有する植栽基盤１０と、植栽基盤１０内に収納される育成材２０と、育成材２０に植栽される植物３０とを備える植栽装置Ｇを、敷設面上に複数並設する緑化設備Ｗであって、植栽基盤１０の側面上端１０ｂに外方に屈曲して延設される突出片を有し、前記突出片として、平面視で隣り合う二辺に突出長さの長い長突出片１３と、他の隣り合う二辺に長突出片１３より突出長さの短い短突出片１４とが設けられ、一の植栽基盤１０の短突出片１４上に他の植栽基盤１０の長突出片１３を配置して、植栽基盤１０相互の隙間ｓを被覆する被覆部（長突出片１３及び短突出片１４により構成される被覆部）が構成されるようにしてもよい。
【００５２】
また、植栽基盤１０、４０の折板屋根Ｒに対する固定は、必ずしも接着である必要はなく、公知のハゼ掴みなどを利用して固定する構成であっても良い。また、接着する構成であっても、接着面積が足りない場合は、下地材を折板屋根Ｒに接着して接着面積を確保し、下地材に植栽基盤１０、４０をビス等で固定する構成であってもよく、より強固に折板屋根Ｒとの固定が可能となる。また、両面テープを使用する場合は、両面テープは折板屋根Ｒの山部全長に設ける必要は無く、部分的に設ける構成、植栽基盤１０、４０側に設ける構成等適宜である。
【００５３】
また、給水パイプＰを配設するための凹部（側面凹部１５或いは育成材凹部２３）は必須条件ではなく、無くても良い。この場合は、育成材２０の上に給水パイプを配設し、その上に切り芝を載置する構成、或いは育成材２０の上に切り芝を載置し、その上に給水パイプＰを配設する構成等適宜であり、植栽基盤１０、４０の成形コストを低減することが可能となる。
【００５４】
また、上記実施例では植栽基盤１０、４０を平面視正方形に形成しているが、本発明は長方形であっても良く、折板屋根Ｒ上に並設する場合は幅のみあっていれば全て含まれる。
【００５５】
また、連結部材６０は、上記実施例２に限定されるものではなく、植栽基盤相互を連結することが可能であれば全て含まれ、且つ連結部材６０の各部（被覆部６１、係合片６２、被覆片６１ａ）も必ずしも一体化して形成する必要も無い。更に連結部材６０が係合する係合穴４２も必須条件ではなく、係合突起を設ける構成、係合凹部を設ける構成、なにも設けない構成全て含まれる。
【００５６】
また、植栽基盤内に育成材を収納して、その上にデッキ材などを設ける構成であってもよく、より美観に優れた緑化エリアを形成することが可能となる。
【００５７】
また、上述した実施例１では、一の植栽基盤１０の短突出片１４上に他の植栽基盤１０の長突出片１３を載置することにより、植栽基盤１０相互の隙間ｓを被覆する被覆部が構成されるようになっているが、植栽基盤１０に長突出片１３だけを設ける構成としてもよい。具体的には、植栽基盤１０の側面１０ｂの上端において、平面視で隣り合う二辺に長突出片１３を設け、他の隣り合う二辺に突出片（短突出片１４）を設けない構成にする。この構成においても、複数の植栽基盤１０を隣接配置した場合（図１のように配置した場合）、一の植栽基盤１０の長突出片１３が、隣接配置された他の植栽基盤１０の育成材２０上まで延びるため、植栽基盤１０相互の隙間ｓを被覆することができる。更に、この場合、長突出片１３が設けられていない側面１０ｂの上端側に係合孔（例えば、実施例２の係合穴４２と同様の構成もの）を設け、長突出片１３の下面側に前記係合孔に係止される係合片（長突出片１３の下面から突出する係合片）を設けるようにし、隣接配置された植栽基盤１０相互を連結・固定できるようにしてもよい。
【００５８】
また、本発明は、必ずしも被覆部で完全に被覆される必要はなく、隙間の大部分が被覆されれば良い。
【産業上の利用可能性】
【００５９】
本発明は、例えば折板屋根の緑化に利用することができる。
【符号の説明】
【００６０】
Ｒ…折板屋根
１…山部、２…谷部、３…ハゼ部
５…固定手段
Ｐ…給水パイプ
Ｗ…折板屋根緑化設備
Ｇ…植栽装置
１０…植栽基盤、１０ａ…底板、１０ｂ…側面、１２…リブ、１２ａ…穴、１３…長突出片、１３ａ…第１長突出片、１３ｂ…第２長突出片、１４…短突出片、１４ａ…第１短突出片、１４ｂ…第２短突出片、１５…側面凹部、１５ａ…第１側面凹部、１５ｂ…第２側面凹部、１６…支持片部、１７ａ…第１段差部、１７ｂ…第２段差部、１７ｃ…第３段差部、１７ｄ…第４段差部
２０…育成材、２０ａ…上面、２０ｂ…下面、２０ｃ…側面、２１…凹状部、２２…突出部、２３…育成材凹部
３０…植物
４０…植栽基盤、４０ａ…底板、４０ｂ…側面、４１…穴、４２…係合穴、４５…側面凹部
５０…育成材、５０ａ…上面、５０ｂ…下面、５０ｃ…側面、５３…育成材凹部、５４…凹状部
６０…連結部材、６１…被覆部、６１ａ…被覆片、６２…係合片
８０、８１、８３、８４、８５…リブ
８２…凹溝部
９０…凸部
９１、９２、９３、９４…育成材
９５…不織布
【図１】
2012065646.tif 000003
【図２】
2012065646.tif 000004
【図３】
2012065646.tif 000005
【図４】
2012065646.tif 000006
【図５】
2012065646.tif 000007
【図６】
2012065646.tif 000008
【図７】
2012065646.tif 000009
【図８】
2012065646.tif 000010
【図９】
2012065646.tif 000011
【図１０】
2012065646.tif 000012
【図１１】
2012065646.tif 000013
【図１２】
2012065646.tif 000014
【図１３】
2012065646.tif 000015